(57)【要約】 【課題】水質改善と高いホルミシス効果の発現が可能であり、かつ、水質改善機能発現部位とホルミシス効果発現可能部位を個々の状況に応じた洗浄が可能である家庭浴槽用水質改質具を提供する。【解決手段】家庭浴槽用水質改質具１は、ハウジング２と、ハウジング内に収納された微量放射線および遠赤外線を放射する放射性セラミックス５１と、天然放射性鉱物５５とを収納した第１の改質材収納袋３と、ミネラル成分溶出性セラミックス６２と麦飯石６１とを収納した第２の改質材収納袋４とを備える。ハウジング２は、上部ハウジング２１と上部ハウジング２１と両者を固定する固定部材６，７とを備え、固定部材６を操作することにより、ハウジング内より、２つの改質材収納袋３、４の取り出しおよび再収納が可能となっている。【選択図】図４
0003174633.tif 000002
【実用新案登録請求の範囲】
【請求項１】
上面、側面および底面に通水用の多数の開口を備え、かつ耐食性を有するハウジングと、前記ハウジング内に収納された第１の改質材収納袋および第２の改質材収納袋とを備え、家庭用浴槽の内部底面に載置可能な家庭浴槽用水質改質具であって、
前記第１の改質材収納袋は、微量放射線および遠赤外線を放射する多数の放射性セラミックスと、多数の天然放射性鉱石もしくは多数の天然放射性鉱物含有セラミックスとを収納した網状袋からなる放射性改質材収納袋であり、
前記第２の改質材収納袋は、多数のミネラル成分溶出性セラミックスと、多数の麦飯石とを収納した網状袋からなる水質改質材収納袋であり、
前記ハウジングは、上部ハウジングと、前記上部ハウジングの下面に取り付けられる下部ハウジングと、前記上部ハウジングと前記下部ハウジングを固定する固定部材と、内部に形成された前記第１の改質材収納袋および前記第２の改質材収納袋を収納する収納部を有し、前記固定部材を操作することにより、前記収納部を開口可能かつ前記収納部内の前記第１の改質材収納袋および前記第２の改質材収納袋の取り出しおよび再収納が可能であることを特徴とする家庭浴槽用水質改質具。
【請求項２】
前記第１の改質材収納袋は、微量放射線および遠赤外線を放射する放射性セラミックスとして、第１の放射性セラミックスおよび前記第１の放射性セラミックスと異なり、かつ富士溶岩石とラジウム鉱石を含有し、微量放射線および遠赤外線を放射する第２の放射性セラミックスを収納している請求項１に記載の家庭浴槽用水質改質具。
【請求項３】
前記第１の放射性セラミックスは、放射線量が、０．１〜０．５μＳｖ／ｈで、遠赤外線の最多域が、４〜１４μｍである請求項２に記載の家庭浴槽用水質改質具。
【請求項４】
前記第１の改質材収納袋は、ラジウム鉱石、二股ラジウム鉱石、トルマリン鉱石、ゲルマニウム鉱石またはゲルマニウム鉱石含有セラミックスからなる群より選択された少なくとも２種以上を収納している請求項１ないし３のいずれかに記載の家庭浴槽用水質改質具。
【請求項５】
前記第１の改質材収納袋は、ゲルマニウム鉱石またはゲルマニウム鉱石含有セラミックス、ラジウム鉱石およびトルマリン鉱石を収納している請求項１ないし３のいずれかに記載の家庭浴槽用水質改質具。
【請求項６】
前記第１の改質材収納袋は、放射線量が０．１〜０．５μＳｖ／ｈである微量放射線および最多域が４〜１４μｍである遠赤外線を放射する第１の放射性セラミックスと、前記第１の放射性セラミックスと異なり、かつ富士溶岩石とラジウム鉱石を含有し、微量放射線および遠赤外線を放射する第２の放射性セラミックスと、ラジウム鉱石、二股ラジウム鉱石、ゲルマニウム鉱石またはゲルマニウム鉱石含有セラミックスが収納されている請求項１ないし３のいずれかに記載の家庭浴槽用水質改質具。
【請求項７】
前記第１の改質材収納袋は、放射線量が０．１〜０．５μＳｖ／ｈである微量放射線および最多域が４〜１４μｍである遠赤外線を放射する第１の放射性セラミックスと、前記第１の放射性セラミックスと異なり、かつ富士溶岩石とラジウム鉱石を含有し、微量放射線および遠赤外線を放射する第２の放射性セラミックスと、ラジウム鉱石、二股ラジウム鉱石、トルマリン鉱石、ゲルマニウム鉱石またはゲルマニウム鉱石含有セラミックスが収納されている請求項１ないし３のいずれかに記載の家庭浴槽用水質改質具。
【請求項８】
前記第１の改質材収納袋は、前記微量放射線および遠赤外線を放射する放射性セラミックスが収納された中央層と、前記中央層の一方の側部に収納された前記天然放射性鉱物もしくは天然放射性鉱物含有セラミックスからなる第１の側部層と、前記中央層の他方の側部に収納されたゲルマニウム鉱石またはゲルマニウム鉱石含有セラミックスを含有する第２の側部層とを備えている請求項１ないし７のいずれかに記載の家庭浴槽用水質改質具。
【請求項９】
前記第１の改質材収納袋は、前記微量放射線および遠赤外線を放射する放射性セラミックスが収納された中央層と、前記中央層の一方の側部に収納された前記天然放射性鉱物もしくは天然放射性鉱物含有セラミックスからなる第１の側部層と、前記中央層の他方の側部に収納されたゲルマニウム鉱石またはゲルマニウム鉱石含有セラミックスを含有する第２の側部層と、前記第２の側部層の前記中央層と反対側の側部に収納されたトルマリン鉱石を含有する第３の側部層とを備えている請求項１ないし７のいずれかに記載の家庭浴槽用水質改質具。
【請求項１０】
前記第２の改質材収納袋は、ガイアストーン鉱石を収納している請求項１ないし９のいずれかに記載の家庭浴槽用水質改質具。
【請求項１１】
上面、側面および底面に通水用の多数の開口を備え、かつ耐食性を有するハウジングと、前記ハウジング内に収納された第１の改質材収納袋および第２の改質材収納袋とを備え、家庭用浴槽の内部底面に載置可能な家庭浴槽用水質改質具であって、
前記第１の改質材収納袋は、微量放射線および遠赤外線を放射する多数の第１の放射性セラミックスと、前記第１の放射性セラミックスと異なり、かつ富士溶岩石とラジウム鉱石を含有し、微量放射線および遠赤外線を放射する複数の第２の放射性セラミックスと、多数の天然放射性鉱石もしくは多数の天然放射性鉱物含有セラミックスとを収納した網状袋からなる放射性改質材収納袋であり、
前記第２の改質材収納袋は、多数のミネラル成分溶出性セラミックスと、多数の麦飯石とを収納した網状袋からなる水質改質材収納袋であり、
前記ハウジングは、上部ハウジングと、前記上部ハウジングの下面に取り付けられる下部ハウジングと、前記上部ハウジングと前記下部ハウジングを固定する固定部材と、内部に形成された前記第１の改質材収納袋および前記第２の改質材収納袋を収納する収納部を有し、前記固定部材を操作することにより、前記収納部を開口可能かつ前記収納部内の前記第１の改質材収納袋および前記第２の改質材収納袋の取り出しおよび再収納が可能であることを特徴とする家庭浴槽用水質改質具。
【請求項１２】
前記第１の放射性セラミックスは、放射線量が、０．１〜０．５μＳｖ／ｈで、遠赤外線の最多域が、４〜１４μｍである請求項１１に記載の家庭浴槽用水質改質具。
【請求項１３】
前記第１の改質材収納袋は、前記天然放射性鉱石もしくは多数の天然放射性鉱物含有セラミックスとして、ラジウム鉱石および二股ラジウム鉱石を収納している請求項１２に記載の家庭浴槽用水質改質具。
【請求項１４】
前記第１の改質材収納袋は、トルマリン鉱石、ゲルマニウム鉱石またはゲルマニウム鉱石含有セラミックスを収納している請求項１３に記載の家庭浴槽用水質改質具。
【請求項１５】
前記第１の改質材収納袋は、前記第１の放射性セラミックスおよび前記第２の放射性セラミックスが収納された中央層と、前記中央層の一方の側部に収納された前記天然放射性鉱石もしくは天然放射性鉱物含有セラミックスラジウムからなる第１の側部層と、前記中央層の他方の側部に収納されたゲルマニウム鉱石またはゲルマニウム鉱石含有セラミックスを含有する第２の側部層とを備えている請求項１１ないし１４のいずれかに記載の家庭浴槽用水質改質具。
【請求項１６】
前記中央層は、二股ラジウム鉱石を収納し、さらに、前記第１の改質材収納袋は、前記第２の側部層の前記中央層と反対側の側部に収納されたトルマリン鉱石を含有する第３の側部層を備えている請求項１５に記載の家庭浴槽用水質改質具。
【請求項１７】
前記第２の改質材収納袋は、ガイアストーン鉱石を収納している請求項１１ないし１６のいずれかに記載の家庭浴槽用水質改質具。
【考案の詳細な説明】
【技術分野】
【０００１】
本考案は、家庭用浴槽内に浸漬することにより、水質を改善し、かつ、ホルミシス効果を発現する家庭浴槽用水質改質具に関する。
【背景技術】
【０００２】
従来より、日々の入浴は健康の維持・増進にとても良いとされているところ、入浴によって得られる種々の効能を向上させるべく、各地の天然温泉に含まれるミネラルや無機塩類、所謂湯の華や、これらにその他の薬剤を添加して成る入浴剤が開発されており、現在では多種多様のものが提供されている。
そして、特開２００８−１８１５７号公報（特許文献１）には、容器２はステンレスで製作され、内部に鉱石を収容する収容空間２ａを形成するとともに、全面に多数の通水孔２ｂを開孔して収容空間２ａと連通させ、収容空間２ａに球状のトルマリン鉱石Ｋ１，ラジウム鉱石Ｋ２，ゲルマニウム鉱石Ｋ３を収容する。浴槽１には湯水Ｗを貯水して容器２を浴槽１の底部の隅部に配置し、硫黄成分を有したヒマラヤ産の岩塩Ｇを湯水Ｗに５０ｇ投入する。岩塩Ｇは湯水Ｗで溶解するとともにトルマリン鉱石Ｋ１，ラジウム鉱石Ｋ２，ゲルマニウム鉱石Ｋ３からマイナスイオンや遠赤外線，ミネラル成分が発生し、およそ１分で人工的な温泉となることが開示されている。
【０００３】
また、特開２００６−３４７３６号公報（特許文献２）には、天然放射性元素鉱物と、セラミックス原料とを配合した後、成形し、焼成して、浴湯改質材を形成し、これを浴湯に浸漬することによって、微量放射線によるホルミシス効果で身体の回復機能を向上させると共に、放射線により生成したマイナスイオンの作用で緊張感を解きほぐして、身体及び精神を共に健康にするものが開示されている。
【先行技術文献】
【特許文献】
【０００４】
【特許文献１】特開２００８−１８１５７号公報
【特許文献２】特開２００６−３４７３６号公報
【考案の概要】
【考案が解決しようとする課題】
【０００５】
特許文献１および特許文献２のものでもある程度のホルミシス効果を発現可能であるが、より高いホルミシス効果を発現可能なものが望まれている。さらに、特許文献１のようなの硫黄成分を有した岩塩の使用は、湯沸かし器等の内部を腐食するため、そのようなものを使用することなく、十分なホルミシス効果を発現できることが望ましい。また、ホルミシス効果の有効な発現のためには、水質自体も改質することが望ましい。また、家庭用浴槽内で使用するため、充填物の表面には、水垢、皮脂などが付着し、ホルミシス効果が低下することがある。
本考案の目的は、水質改善と、高いホルミシス効果の発現が可能であり、かつ、水質改善機能発現部位と、ホルミシス効果発現可能部位を個々の状況に応じて洗浄することが可能な家庭浴槽用水質改質具を提供するものである。
【課題を解決するための手段】
【０００６】
上記目的を達成する家庭浴槽用水質改質具は、以下のものである。
（１）  上面、側面および底面に通水用の多数の開口を備え、かつ耐食性を有するハウジングと、前記ハウジング内に収納された第１の改質材収納袋および第２の改質材収納袋とを備え、家庭用浴槽の内部底面に載置可能な家庭浴槽用水質改質具であって、
前記第１の改質材収納袋は、微量放射線および遠赤外線を放射する多数の放射性セラミックスと、多数の天然放射性鉱石もしくは多数の天然放射性鉱物含有セラミックスとを収納した網状袋からなる放射性改質材収納袋であり、
前記第２の改質材収納袋は、多数のミネラル成分溶出性セラミックスと、多数の麦飯石とを収納した網状袋からなる水質改質材収納袋であり、
前記ハウジングは、上部ハウジングと、前記上部ハウジングの下面に取り付けられる下部ハウジングと、前記上部ハウジングと前記下部ハウジングを固定する固定部材と、内部に形成された前記第１の改質材収納袋および前記第２の改質材収納袋を収納する収納部を有し、前記固定部材を操作することにより、前記収納部を開口可能かつ前記収納部内の前記第１の改質材収納袋および前記第２の改質材収納袋の取り出しおよび再収納が可能である家庭浴槽用水質改質具。
【０００７】
（２）  前記第１の改質材収納袋は、微量放射線および遠赤外線を放射する放射性セラミックスとして、第１の放射性セラミックスおよび前記第１の放射性セラミックスと異なり、かつ富士溶岩石とラジウム鉱石を含有し、微量放射線および遠赤外線を放射する第２の放射性セラミックスを収納している上記（１）に記載の家庭浴槽用水質改質具。
（３）  前記第１の放射性セラミックスは、放射線量が、０．１〜０．５μＳｖ／ｈで、遠赤外線の最多域が、４〜１４μｍである上記（２）に記載の家庭浴槽用水質改質具。
（４）  前記第１の改質材収納袋は、ラジウム鉱石、二股ラジウム鉱石、トルマリン鉱石、ゲルマニウム鉱石またはゲルマニウム鉱石含有セラミックスからなる群より選択された少なくとも２種以上を収納している上記（１）ないし（３）のいずれかに記載の家庭浴槽用水質改質具。
（５）  前記第１の改質材収納袋は、ゲルマニウム鉱石またはゲルマニウム鉱石含有セラミックス、ラジウム鉱石およびトルマリン鉱石を収納している上記（１）ないし（３）のいずれかに記載の家庭浴槽用水質改質具。
（６）  前記第１の改質材収納袋は、放射線量が０．１〜０．５μＳｖ／ｈである微量放射線および最多域が４〜１４μｍである遠赤外線を放射する第１の放射性セラミックスと、前記第１の放射性セラミックスと異なり、かつ富士溶岩石とラジウム鉱石を含有し、微量放射線および遠赤外線を放射する第２の放射性セラミックスと、ラジウム鉱石、二股ラジウム鉱石、ゲルマニウム鉱石またはゲルマニウム鉱石含有セラミックスが収納されている上記（１）ないし（３）のいずれかに記載の家庭浴槽用水質改質具。
（７）  前記第１の改質材収納袋は、放射線量が０．１〜０．５μＳｖ／ｈである微量放射線および最多域が４〜１４μｍである遠赤外線を放射する第１の放射性セラミックスと、前記第１の放射性セラミックスと異なり、かつ富士溶岩石とラジウム鉱石を含有し、微量放射線および遠赤外線を放射する第２の放射性セラミックスと、ラジウム鉱石、二股ラジウム鉱石、トルマリン鉱石、ゲルマニウム鉱石またはゲルマニウム鉱石含有セラミックスが収納されている上記（１）ないし（３）のいずれかに記載の家庭浴槽用水質改質具。
（８）  前記第１の改質材収納袋は、前記微量放射線および遠赤外線を放射する放射性セラミックスが収納された中央層と、前記中央層の一方の側部に収納された前記天然放射性鉱物もしくは天然放射性鉱物含有セラミックスからなる第１の側部層と、前記中央層の他方の側部に収納されたゲルマニウム鉱石またはゲルマニウム鉱石含有セラミックスを含有する第２の側部層とを備えている上記（１）ないし（７）のいずれかに記載の家庭浴槽用水質改質具。
（９）  前記第１の改質材収納袋は、前記微量放射線および遠赤外線を放射する放射性セラミックスが収納された中央層と、前記中央層の一方の側部に収納された前記天然放射性鉱物もしくは天然放射性鉱物含有セラミックスからなる第１の側部層と、前記中央層の他方の側部に収納されたゲルマニウム鉱石またはゲルマニウム鉱石含有セラミックスを含有する第２の側部層と、前記第２の側部層の前記中央層と反対側の側部に収納されたトルマリン鉱石を含有する第３の側部層とを備えている上記（１）ないし（７）のいずれかに記載の家庭浴槽用水質改質具。
（１０）  前記第２の改質材収納袋は、ガイアストーン鉱石を収納している上記（１）ないし（９）のいずれかに記載の家庭浴槽用水質改質具。
【０００８】
また、上記目的を達成する家庭浴槽用水質改質具は、以下のものである。
（１１）  上面、側面および底面に通水用の多数の開口を備え、かつ耐食性を有するハウジングと、前記ハウジング内に収納された第１の改質材収納袋および第２の改質材収納袋とを備え、家庭用浴槽の内部底面に載置可能な家庭浴槽用水質改質具であって、
前記第１の改質材収納袋は、微量放射線および遠赤外線を放射する多数の第１の放射性セラミックスと、前記第１の放射性セラミックスと異なり、かつ富士溶岩石とラジウム鉱石を含有し、微量放射線および遠赤外線を放射する複数の第２の放射性セラミックスと、多数の天然放射性鉱石もしくは多数の天然放射性鉱物含有セラミックスとを収納した網状袋からなる放射性改質材収納袋であり、
前記第２の改質材収納袋は、多数のミネラル成分溶出性セラミックスと、多数の麦飯石とを収納した網状袋からなる水質改質材収納袋であり、
前記ハウジングは、上部ハウジングと、前記上部ハウジングの下面に取り付けられる下部ハウジングと、前記上部ハウジングと前記下部ハウジングを固定する固定部材と、内部に形成された前記第１の改質材収納袋および前記第２の改質材収納袋を収納する収納部を有し、前記固定部材を操作することにより、前記収納部を開口可能かつ前記収納部内の前記第１の改質材収納袋および前記第２の改質材収納袋の取り出しおよび再収納が可能である家庭浴槽用水質改質具。
【０００９】
（１２）  前記第１の放射性セラミックスは、放射線量が、０．１〜０．５μＳｖ／ｈで、遠赤外線の最多域が、４〜１４μｍである上記（１１）に記載の家庭浴槽用水質改質具。
（１３）  前記第１の改質材収納袋は、前記天然放射性鉱石もしくは多数の天然放射性鉱物含有セラミックスとして、ラジウム鉱石および二股ラジウム鉱石を収納している上記（１２）に記載の家庭浴槽用水質改質具。
（１４）  前記第１の改質材収納袋は、トルマリン鉱石、ゲルマニウム鉱石またはゲルマニウム鉱石含有セラミックスを収納している上記（１３）に記載の家庭浴槽用水質改質具。
（１５）  前記第１の改質材収納袋は、前記第１の放射性セラミックスおよび前記第２の放射性セラミックスが収納された中央層と、前記中央層の一方の側部に収納された前記天然放射性鉱石もしくは天然放射性鉱物含有セラミックスラジウムからなる第１の側部層と、前記中央層の他方の側部に収納されたゲルマニウム鉱石またはゲルマニウム鉱石含有セラミックスを含有する第２の側部層とを備えている上記（１１）ないし（１４）のいずれかに記載の家庭浴槽用水質改質具。
（１６）  前記中央層は、二股ラジウム鉱石を収納し、さらに、前記第１の改質材収納袋は、前記第２の側部層の前記中央層と反対側の側部に収納されたトルマリン鉱石を含有する第３の側部層を備えている上記（１５）に記載の家庭浴槽用水質改質具。
（１７）  前記第２の改質材収納袋は、ガイアストーン鉱石を収納している上記（１１）ないし（１６）のいずれかに記載の家庭浴槽用水質改質具。
【考案の効果】
【００１０】
この考案の家庭浴槽用水質改質具は、上面、側面および底面に通水用の多数の開口を備え、かつ耐食性を有するハウジングと、ハウジング内に収納された第１の改質材収納袋および第２の改質材収納袋とを備え、家庭用浴槽の内部底面に載置可能である。そして、第１の改質材収納袋は、微量放射線および遠赤外線を放射する多数の放射性セラミックスと、多数の天然放射性鉱石もしくは多数の天然放射性鉱物含有セラミックスとを収納した網状袋からなる放射性改質材収納袋であり、第２の改質材収納袋は、多数のミネラル成分溶出性セラミックスと、多数の麦飯石とを収納した網状袋からなる水質改質材収納袋である。さらに、ハウジングは、上部ハウジングと、上部ハウジングの下面に取り付けられる下部ハウジングと、上部ハウジングと下部ハウジングを固定する固定部材と、内部に形成された第１の改質材収納袋および第２の改質材収納袋を収納する収納部を有し、固定部材を操作することにより、収納部を開口可能かつ収納部内の第１の改質材収納袋および第２の改質材収納袋の取り出しおよび再収納が可能である。
特に、ハウジング内に収納される収納袋を放射性改質材収納袋と水質改質材収納袋に区分し、かつ、ハウジングの収納部より取り出しおよび再収納可能となっているため、それぞれ状況に応じて、洗浄することが可能であり、良好な状態での使用を可能とする。さらに、第１の改質材収納袋は、多数の放射性セラミックスとともに多数の天然放射性鉱石もしくは多数の天然放射性鉱物含有セラミックスとを収納しており、両者の相乗効果により、高いホルミシス効果の発現が期待できる。
【図面の簡単な説明】
【００１１】
【図１】図１は、本考案の家庭浴槽用水質改質具の正面図である。
【図２】図２は、図１に示した家庭浴槽用水質改質具の平面図である。
【図３】図３は、図１に示した家庭浴槽用水質改質具の底面図である。
【図４】図４は、図２のＡ−Ａ線拡大断面図である。
【考案を実施するための形態】
【００１２】
本考案の家庭浴槽用水質改質具を図面に示す実施例を用いて説明する。
本考案の家庭浴槽用水質改質具１は、上面、側面および底面に通水用の多数の開口２３を備え、かつ耐食性を有するハウジング２と、ハウジング２内に収納された第１の改質材収納袋３および第２の改質材収納袋４とを備え、家庭用浴槽の内部底面に載置可能なものである。
そして、第１の改質材収納袋３は、微量放射線および遠赤外線を放射する多数の放射性セラミックス５１と、多数の天然放射性鉱石５５もしくは多数の天然放射性鉱物含有セラミックスとを収納した網状袋３０からなる放射性改質材収納袋３となっている。また、第２の改質材収納袋４は、多数のミネラル成分溶出性セラミックス６２と、多数の麦飯石６１とを収納した網状袋４０からなる水質改質材収納袋４となっている。
そして、ハウジング２は、上部ハウジング２１と、上部ハウジング２１の下面に取り付けられる下部ハウジング２２と、上部ハウジング２１と下部ハウジング２２を固定する固定部材６，７と、内部に形成された第１の改質材収納袋３および第２の改質材収納袋４を収納する収納部２０を有し、固定部材６を操作することにより、収納部２０を開口可能かつ収納部２０内の第１の改質材収納袋３および第２の改質材収納袋４の取り出しおよび再収納が可能となっている。
【００１３】
この実施例の家庭浴槽用水質改質具１は、ハウジング２と、ハウジング２内に収納された第１の改質材収納袋（放射性改質材収納袋）３と、第２の改質材収納袋（水質改質材収納袋）４とを備えている。
ハウジング２は、図１ないし図４に示すように、上部ハウジング２１と、上部ハウジング２１の下面に取り付けられる下部ハウジング２２とを備える。
そして、上部ハウジング２１は、下面が開口した所定の深さを有する籠状のものであり、上面、４つの側面には、多数の通水用の開口２３が設けられている。さらに、この実施例のものでは、図２に示すように、中央部に設けられた開口非形成部２４を備えており、かつ、この開口非形成部は、上部ハウジングの４つの側部の中央部に延びる部分２４ａを有するものとなっている。これにより、開口部非形成部２４は、上部ハウジング２１の上面において十字状に延びるものとなっており、上部ハウジング２１の上面部の補強部を形成している。
【００１４】
さらに、上部ハウジング２１の底部周縁部には、上部ハウジング２１の内側方向に延びる環状突出部２６が形成されており、さらに、この環状突出部２６には、上述する固定部材６のシャフト貫通用の４つの開口が形成されている。
また、下部ハウジング２２は、所定の深さを有するトレー状のものであり、下面、４つの側面には、多数の通水用の開口２３が設けられている。さらに、この実施例のものでは、図３に示すように、中央部に設けられた開口非形成部２４を備えており、かつ、この開口非形成部２４は、下部ハウジングの４つの側部の中央部に延びる部分２４ａを有するものとなっている。これにより、開口部非形成部２４は、下部ハウジング２２の下面において十字状に延びるものとなっており、下部ハウジング２２の下面部の補強部を形成している。
【００１５】
さらに、下部ハウジング２２の上縁部には、下部ハウジング２２の内側方向に延びる環状突出部２７が形成されており、さらに、この環状突出部２７にも、上述する固定部材６のシャフト貫通用の４つの開口が形成されている。さらに、シャフト貫通用開口部付近は、図３および図４に示すように、固定部材取付用凹部２９となっている。
また、ハウジング２の底面、具体的には、下部ハウジング２２の底面には、複数の脚部５が固定されている。具体的には、下部ハウジング２２の四つの角部の底面に、脚部５が固定されており、さらに、下部ハウジング２２の中央部にも脚部５が固定されている。これら脚部５は、下部ハウジング２２の底面と載置される浴槽底面間に水流通用の空隙を形成する。さらに、脚部５は、滑り止め機能を有するものが好ましい。脚部５としては、天然ゴム、合成ゴムなどの硬質ゴム、硬質エラストマーなどが好適に使用される。
【００１６】
上部ハウジング２１と下部ハウジング２２とを固定する固定部材は、図４に示すように、ボルト６とナット７とにより構成されている。なお、ナット７は、上述した上部ハウジング２２の環状突出部２６の内面かつ環状突出部２６のボルト貫通孔上に溶接等により固定したものであってもよい。ボルト６は、上述した下部ハウジング２２の固定部材取付用凹部２９より挿入可能であり、上記のナットと螺合することにより、上部ハウジング２１と下部ハウジング２２とを固定する。
そして、上部ハウジング２１と下部ハウジング２２により形成されたハウジング２内には、収納部２０が形成されている。そして、固定部材（具体的には、ボルト６）を操作することにより、収納部２０は、開口可能かつ収納部２０内に収納されている第１の改質材収納袋３および第２の改質材収納袋４の取り出しおよび再収納が可能となっている。
【００１７】
そして、本考案の家庭浴槽用水質改質具１では、第１の改質材収納袋である放射性改質材収納袋３とおよび第２の改質材収納袋である水質改質材収納袋４とが別々のものとなっているため、取り出した第１の改質材収納袋および第２の改質材収納袋は、その汚れ等の状況に応じて、洗浄することが可能である。また、収納袋は、２つのものとなっているため、再収納時に収納を忘れる可能性が極めて少ない。
そして、上述したように、本考案の家庭浴槽用水質改質具１では、ハウジング２内に、第１の改質材収納袋３と第２の改質材収納袋４とが収納されている。
さらに、第１の改質材収納袋３は、微量放射線および遠赤外線を放射する多数の放射性セラミックス５１と、多数の天然放射性鉱石５５もしくは多数の天然放射性鉱物含有セラミックスとを収納した網状袋３０からなる放射性改質材収納袋３となっている。
【００１８】
放射性セラミックス（第１の放射性セラミックス）５１は、天然放射性鉱物（具体的には、天然放射性鉱物粉砕物）、遠赤外線放射性材料およびセラミックス原料を混合し、造粒後、焼成することにより形成されており、特に、この第１の放射性セラミックス５１は、放射線量が、０．１〜０．５μＳｖ／ｈで、遠赤外線の最多域が、４〜１４μｍであることが好ましい。
天然放射性鉱物は、微弱で微量の放射線を発生する鉱物である。天然放射性鉱物としては、例えば、北投石、ニンギョウ石、センウラン鉱、カツレン石、トリウム石、モナザイト、サマルスキー石、ヘエルグリン石、ゼノタイム、トロゴム石、変種ジルコン、パイロクロワからなる群より選択される少なくとも１種のものが好適である。
【００１９】
また、遠赤外線放射性材料としては、発熱体や体温によって波長４〜１６μm程度の遠赤外線を放射するものが好ましく、例えば、Ｎａ2Ｏ、Ｋ2Ｏ、ＣａＯ、ＢａＯ、ＭgＯ、Ｆｅ2Ｏ、ＦｅＯ、Ｆｅ2Ｏ３、ＳｉＯ2、Ａｌ2Ｏ３、ＺｒＯ、ＺｒＯ2、ＢｅＯ、Ｖ2Ｏ３、Ｖ2Ｏ５、Ｙ2Ｏ３、ＣｏＯ、ＣｕＯ、Ｃｕ2Ｏ、ＮｉＯ、Ｎｉ2Ｏ３、ＭｎＯ、ＭｎＯ2、ＴｉＯ、ＴｉＯ2、ＺｎＯ、ＴｈＯ2、ＺｒＳｉＯ４）、コージライト（２ＭｇＯ・２Ａｌ2Ｏ３・５ＳｉＯ2）、βスポジューメン（Ｌｉ2Ｏ・Ａｌ2Ｏ３・４ＳｉＯ2）、ムライト（Ａｌ2Ｏ３・３ＳｉＯ2）、チタン酸アルミニウム（Ａｌ2Ｏ３・ＴｉＯ2）などが好ましい。
セラミックス原料としては、公知のものが使用される。セラミックス原料としては、例えば、粘土、粘土鉱物、シャモット、珪砂、陶石、長石、アルミナ、マグネシア、ジルコニア、シリカ、ムライト、コーディエライト、高炉スラグ、シラス、フライアッシュ、フェライト、アパタイト、炭化珪素、窒化アルミニウム、窒化珪素等があり、通常１０００〜２０００℃で焼結される。
【００２０】
また、第１の改質材収納袋３は、微量放射線および遠赤外線を放射する第１の放射性セラミックスとして、上述した第１の放射性セラミックス５１および第１の放射性セラミックス５１と異なり、かつ富士溶岩石とラジウム鉱石を含有し、微量放射線および遠赤外線を放射する第２の放射性セラミックス５２とを収納していることが好ましい。
第２の放射性セラミックス５２は、富士溶岩石（具体的には、富士溶岩石粉砕物）、ラジウム鉱石（具体的には、ラジウム鉱石粉砕物）、遠赤外線放射性材料およびセラミックス原料を混合し、造粒後、焼成することにより形成されている。このように、第１の放射性セラミックスと異なる第２の放射性セラミックスを用いることにより、放射性セラミックス相互の励起などの相乗効果と、波長帯、性質が拡がることによるホルミシス効果の良好な発現が期待できる。
富士溶岩石は、ＳｉＯ２、Ａｌ２Ｏ３、Ｆｅ２Ｏ３、ＣａＯ、ＭｇＯ、Ｎｅ２Ｏ、ＴｉＯ２、Ｋ２Ｏ、ＭｎＯ、Ｐ２Ｏ５、Ｖ２Ｏ５、ＢａＯ、ＳｒＯ、Ｃｌ、ＣｕＯ、ＺｎＯ、ＺｒＯ２、ＳＯ３、Ｇａ２Ｏ３、Ｃｏ２Ｏ３、Ｒｂ２Ｏなどを含有する天然鉱物である。また、遠赤外線放射性材料、セラミックする原料としては、上述したものは好適に使用される。そして、第２の放射性セラミックス５２の収納量（添加量）は、第１の放射性セラミックス５１より、少量であってもよい。特に、第１の放射性セラミックス５１と第２の放射性セラミックス５２の添加重量比は、１００：１〜２０：１が好ましく、特に、１００：１．５〜５０：１が好ましい。さらに、第２の放射性セラミックス５２は、第１の放射性セラミックス５１により形成される層の中に投入されていることが好ましい。
【００２１】
また、第１の放射性セラミックスおよび第２の放射性セラミックスは、粒状、小板状、略直方体状などの小さな固形体であり、かつ多孔質体であることが好ましい。多孔質体であれば、表面部分だけに留まらず、内部まで水が浸透し、含有する天然放射性物質および遠赤外線放射物質と水の接触が良好なものとなる。また、１つの放射性セラミックスの大きさとしては、平均粒径が、５〜２５ｍｍが好ましく、重さとしては、５〜２５グラムが好ましい。
【００２２】
さらに、第１の改質材収納袋３は、ラジウム鉱石５５、二股ラジウム鉱石５３、トルマリン鉱石５７、ゲルマニウム鉱石またはゲルマニウム鉱石含有セラミックス５６からなる群より選択された少なくとも２種以上を収納していることが好ましく、特に、第１の改質材収納袋３は、ゲルマニウム鉱石またはゲルマニウム鉱石含有セラミックス５６、ラジウム鉱石５５およびトルマリン鉱石５７を収納していることが好ましい。ゲルマニウム鉱石含有セラミックス５６としては、ゲルマニウム鉱石粉砕物を上述したセラミック原料とともに造粒し、焼成したものが好ましい。
また、ゲルマニウム鉱石含有セラミックス５６は、粒状、小板状、略直方体状などの小さな固形体であり、かつ多孔質体であることが好ましい。多孔質体であれば、表面部分だけに留まらず、内部まで水が浸透し、含有するゲルマニウムと水の接触が良好なものとなる。また、１つのゲルマニウム鉱石含有セラミックス５６の大きさとしては、平均粒径が、５〜２５ｍｍが好ましく、重さとしては、５〜２５グラムが好ましい。
【００２３】
さらに、第１の改質材収納袋３は、放射線量が０．１〜０．５μＳｖ／ｈである微量放射線および最多域が４〜１４μｍである遠赤外線を放射する第１の放射性セラミックス５１と、第１の放射性セラミックス５１と異なり、かつ富士溶岩石とラジウム鉱石を含有し、微量放射線および遠赤外線を放射する第２の放射性セラミックス５２と、ラジウム鉱石５５、二股ラジウム鉱石５３、ゲルマニウム鉱石またはゲルマニウム鉱石含有セラミックス５６が収納されているものであり、さらに、トルマリン鉱石５７を収納していることが特に好ましい。ラジウム鉱石５５、二股ラジウム鉱石５３、ゲルマニウム鉱石、トルマリン鉱石５７としては、鉱石破砕物をそのまま用いることが好ましい。また、使用する各鉱石の大きさとしては、粒径換算平均値が、５〜２５ｍｍであるものが好ましく、重さとしては、５〜２５グラムが好ましい。
【００２４】
さらに、この実施例の家庭浴槽用水質改質具１では、図４に示すように、第１の改質材収納袋３は、微量放射線および遠赤外線を放射する放射性セラミックスが収納された中央層３１と、中央層３１の一方の側部に収納された天然放射性鉱物もしくは天然放射性鉱物含有セラミックス（具体的には、ラジウム鉱石）からなる第１の側部層３２と、中央層３１の他方の側部に収納されたゲルマニウム鉱石またはゲルマニウム鉱石含有セラミックス（具体的には、ゲルマニウム鉱石含有セラミックス５６）を含有する第２の側部層３３とを備えている。
このように、第１の改質材収納袋３の中央部に、放射性セラミックスを集中して収納することにより、良好なホルミシス効果の発現が期待でき、かつ、その側部に、天然放射性鉱物もしくは天然放射性鉱物含有セラミックスからなる第１の側部層３２を設けることにより、中央層に集中して収納された放射性セラミックスの励起を期待できる。
【００２５】
また、放射性セラミックスが収納された中央層３１には、上述したように、第１の改質材収納袋３は、微量放射線および遠赤外線を放射する第１の放射性セラミックス５１と、第１の放射性セラミックス５１と異なり、かつ富士溶岩石とラジウム鉱石を含有し、微量放射線および遠赤外線を放射する第２の放射性セラミックス５２とを収納していることが好ましい。さらには、二股ラジウム鉱石５３も収納することが好ましい。
また、図４に示すように、第２の側部層３３の中央層３１と反対側の側部に収納されたトルマリン鉱石５７を含有する第３の側部層３４を備えていることが好ましい。
そして、第２の改質材収納袋４は、多数のミネラル成分溶出性セラミックス６２と、多数の麦飯石６１とを収納した網状袋４０からなる水質改質材収納袋４となっている。
【００２６】
ミネラル成分溶出性セラミックス６２は、微量のミネラル成分を持続的に溶出するセラミックスである。ミネラル成分溶出性セラミックスは、浴用水中にカルシウム、カリウム、ナトリウム、マグネシウム、鉄、ニッケル、銅、亜鉛、マンガン、モリブデン、硼素、その他の人体に有用な成分の１種以上、望ましくは、２種以上を含有する物質もしくは鉱物を含有する焼成物である。ミネラル成分溶出性セラミックスに含有される鉱物としては、医王石、麦飯石、花崗岩、花崗斑岩、石英岩、石英斑岩、トルマリン、珪藻土、天然または合成ゼオライト、銀ゼオライト、コーラルサンド、磁鉄鉱、酸化チタン、大理石、石灰石等が挙げられる。これらのいずれか１種または２種以上を衝撃粉砕、その他の手段により粉砕したものが好適に使用される。また、ミネラル成分溶出性セラミックスは、粒状、小板状、略直方体状などの小さな固形体であり、かつ多孔質体であることが好ましい。多孔質体であれば、表面部分だけに留まらず、内部まで水が浸透し、含有するミネラル成分の溶出が良好なものとなる。また、１つのミネラル成分溶出性セラミックス６２の大きさとしては、平均粒径が  ５〜２５ｍｍが好ましく、重さとしては、５〜２５グラムが好ましい。
【００２７】
さらに、第２の改質材収納袋４は、ガイアストーン鉱石６３を収納していることが好ましい。麦飯石、ガイアストーン鉱石は、鉱石破砕物をそのまま用いることが好ましい。また、使用する各鉱石の大きさとしては、粒径換算平均値が、５〜２５ｍｍであるものが好ましく、重さとしては、５〜２５グラムが好ましい。
そして、この実施例では、第２の改質材収納袋４は、図４に示すように、麦飯石６１からなる中央層４１と、中央層４１の一方の側部に収納されたミネラル成分溶出性セラミックス６２からなる第１の側部層４２と、中央層４１の他方の側部に収納されたガイアストーン鉱石６３からなる第２の側部層４３とを備えている。
網状袋３０，４０としては、合成繊維、天然繊維、ガラス繊維等の繊維により形成されたメッシュからなる袋が好適に使用され、また、網状体は、内容物の収納作業用のファスナー部を有するものが好ましい。
【符号の説明】
【００２８】
１  家庭浴槽用水質改質具
２  ハウジング
３  第１の改質材収納袋（放射性改質材収納袋）
４  第２の改質材収納袋（水質改質材収納袋）
５  脚部
６  固定部材（ボルト）
７  固定部材（ナット）
【図１】
0003174633.tif 000003
【図２】
0003174633.tif 000004
【図３】
0003174633.tif 000005
【図４】
0003174633.tif 000006